(57)【要約】【課題】  この発明は、人類の生活とその向上・発展を図るために、丈夫で強固な大脳皮質を構築・形成していくことにより、良識人を沢山育み、犯罪発生を未然に防止し、環境改善と安全対策ならびに明るい社会の構築に寄与することを課題とするものである。【解決手段】  本発明は、犯罪発生のメカニズムを講習会や公演会その他各種セミナー等で、CD-ROMやプロジェクターを駆使して、周知徹底することによって大脳皮質の基盤強化を図り、自制心・責任感・判断力・忍耐力・理性等を育み、犯罪行為または逸脱行為をする人の撲滅を図ると共に、良識人を多数作り上げていくための高度な技術である。また、重大なミスを犯したり、過誤が発生しない歯止め作りを行うことによって、犯罪を未然に防止する技術でもある。【選択図】         なし【特許請求の範囲】
【請求項１】
犯罪発生のメカニズムを全国民に周知することによって、犯罪行為を未然に防ぐ方法
【請求項２】
自制心・責任感・理性・判断力・忍耐力等を大脳皮質にバランスよく常に保持させることによって、請求項1の犯罪を未然に防ぐ方法
【請求項３】
逸脱行為・過誤行為の解明によって請求項目１又は２記載の犯罪を未然に防ぐ方法
【発明の詳細な説明】
【技術分野】
【０００１】
本発明は、一般社会において凶悪犯罪が多発する中で、大脳の三大機能を解明した上で犯罪発生の根源となるメカニズムを広く周知させることによって、犯罪を未然に防止する高度な技術的手法である。
【背景技術】
【０００２】
本発明は、犯罪を未然に防止するための技術的方法に関するものであるが、従来の文献公知発明について調査中なれど不明である。
【発明の開示】
【発明が解決しようとする課題】
【０００３】
大脳の三大機能を表す構成図は、図面1に示す通りであるが、これは大脳皮質(理性・忍耐力・判断力等)と辺縁系(感情等)及び脳幹(欲望等)からなる三つのニューロン(三大神経細胞)を示すものである。
【０００４】
特に、大脳皮質は、辺縁系と脳幹から発する様々な情報をコントロールしており、重要な役目を果たしている。また、大脳基底核は体温や運動を司る神経細胞である。
通常人の脳は、左右の大脳皮質(自制心・善悪等の判断・理性・責任感・忍耐力・意思・性格等をコントロールする)と、辺縁系(感情等を司る) 、および脳幹(欲望等を司る)の三つのニューロン(神経細胞)が相互に関係し合って、バランスよく調整され、平常心・平衡心を保持している。
最も重要な人間の欲望や善悪をコントロールしている大脳皮質は更に、二つの神経細胞{右前頭葉（善良心を司る）と左前頭葉（悪事心を司る）}に分かれて高度な活動している。しかし、脳幹や大脳基底核ならびに辺縁系をコントロールしている大脳皮質 (大脳新皮質) は、その基盤形成が脆弱であったり、正常に育まれていないと、脳幹その他辺縁系から偏った情報なり、異常な情報が入って来た場合に、大脳皮質で、正確・正常なコントロールができず、左右の大脳皮質のバランスが崩れ、結果として異常行動による犯罪発生というメカニズムになっている。（図１〜図３参照）
【０００５】
本発明は、大脳皮質を強化することによって、自制心・責任感・判断力・忍耐力・理性等を育み、犯罪行為または逸脱行為をする人を減少させると共に、良識人を多数作り上げていく高度な技術的手法である。
要するに、大脳皮質の良好なバランス保持を図りながら、犯罪発生を未然に防ぐ方法である。また、重大なミスを犯したり、過誤が発生しない歯止め作りを行うことによって犯罪を未然に防止するものである。
【０００６】
特に、前頭葉のバランス(善心率と悪心率の範囲)を決定づける要因は次の通りである。
左右の前頭葉（善心率+悪心率=100%）は、約90%の人は普通人で左前頭葉の悪心率25％+右前頭葉の善心率75％(〜50%+50%までの範囲)でバランスがとれている。              しかし、危険人(大脳皮質の基盤形成が脆弱な人)は、逆で悪心率の方が75％で善心率25％となっており、いつ事件が発生してもおかしくない状態となっている。特に注意しなくてはいけないのは、悪心率が80％以上になると危険率は最高レベルに達し、悪心率80%+善心率20％で犯罪発生に繋がっている。（図２参照）
【０００７】
また、前頭葉の善心率と悪心率を決定づける主な要因は、（１）栄養(蛋白質・脂肪・炭水化物)バランスの取れた食事内容、（２）生まれ育った(家庭と学校)環境、（３）持って生まれた性格、（４）礼儀作法(しつけ)と訓練（５）行動力等にあることが判明しているので、これを重視しなくてはならない。特に幼少時からのしつけは「迷惑は悪事・挨拶と感謝は善事・役立つ人間最高」が原点となっている。
【０００８】
（１）普通人の「脳」は、複雑な神経回路を除けば、図１に示すとおり、脳内で活動している三つのニューロン(神経細胞)によってバランスよく構成されている。
また、それは、図２〜図３で示すように、その中で更に、右前頭葉(善良心を司る)と左前頭葉(悪事心を司る) は、脳梁(情報交換神経) によって、一対の機能を果たしている。通常の場合、左右のバランスがよく調整されて、平常心、平衡心を保っている。
【０００９】
ところが、左右の前頭葉は、善悪判断等を行うコントロールタワーといえども、その基盤形成が脆弱であったり、正常に育まれていないと、脳幹その他辺縁系からの偏った情報なり、異常な情報が入って来た場合に、前頭葉内でのバランスが崩れ、容易に破壊されるのみならず、前頭葉の内壁まで壊れてしまう構造になっているということである。結果として異常行動の発生=犯罪発生という構図となる。
【００１０】
最も肝心なことは、脳の状態がどんな状態になった時に、バランスが崩れるのかという点の解明に関する応用例である。
例えば、平素から危険人(Gタイプ=悪心率75%)としての領域を抱えて生活している人は、次のとおりである。
今、仮に、Gタイプの人が、A)ある種の欲望を満たすために、次回には、絶対に・・と、ひそかに狙っている時に、・・・ B) 短気な人が、相手の言葉に自尊心を傷つけられた時に・・・、C)ストレスが溜まって神経がイライラしている時に・・・以上の3つのケースを想定した上で心理テストや種々の実験を実施すると・・・左前頭葉の悪心率が75.0%の人は、右前頭葉の善心率(25%)によって支えられている「自制心」とか「抑制力」ならびに「忍耐力」等を、脳梁を通じて、一瞬にして吸収してしまうため、右前頭葉の善心率は、20％以下となり、左前頭葉(悪心率)の数値は、80%以上(極限状態)になってしまう。
【００１１】
その結果、大脳皮質の内壁が破裂してしまう。そこで事件が発生するというメカニズムとなっている。(最近では、比較的、些細な口論から、左前頭葉が極限状態に達する人が多くなっている)
【００１２】
そこで、犯罪(事件)を発生し易いタイプの人を簡潔にまとめると次のとおりとなる。（１）甘やかされ、自分本位に育っている人(しつけが出来ていない人)。（２）家庭環境の悪い中で育っている人。（３）学校で生活指導を受けていない人。（４）欲求不満を抱いて生活している人。（５）感情の起伏が激しい人。（６）思いつめた感情を持って生活している人。（７）鬱積した感情を持って生活している人。（８）短気な性格の人。（９）ストレスの溜まっている人。（１０）自制心の効かない人等が列挙できる。
このことは、換言すると（A）善悪の判断が出来にくい人。（B）自制心・忍耐力等、我慢強さに欠ける人。（C）性格がきつくて短気な人に要約出来る。
【００１３】
結論は、大脳皮質の基盤作りが出来ていない人、もしくは大脳皮質が正常に育まれていない人に要約できる。故に、本発明は、大脳皮質の強固な基盤作りをしっかり行う事によって、良識人を沢山つくり、犯罪発生を未然に防止する技術といえる。なお、周知させる方法は、公演会や研修会等の教育現場でCD-ROMやプロジェクターを駆使することによって充分に達成できる。
要するに、犯罪増加の根本原因(根源)は、平和ボケによる大脳皮質の脆弱化にあるが、加えて言えば、現代社会の悪環境(欲望と感情面の垂れ流し時代)に影響されている点は否めない。また、家庭や学校におけるしつけと生活指導不足に原因があることは容易に証明出来る。なお、本発明は、年々、凶悪犯罪等が増加する中で、その根本原因を技術的に解明し、対策に歯止めをかけ、平和で安心して暮らせる社会の実現を図ろうとするものであるが、従来技術は不明である。
【課題を解決するための手段】
【００１４】
（１）犯罪発生のメカニズムを全国民に周知することによって、犯罪行為を未然に防ぐ方法。
（２）自制心・責任感・判断力・忍耐力理性・等を大脳皮質にバランスよく常に保持させることによって、請求項1記載の犯罪行為を未然に防ぐ方法。
（３）逸脱行為・過誤行為の解明によって、請求項１又は２記載の犯罪行為を未然に防ぐ方法。
【発明の効果】
【００１５】
日本国内おいて、今や凶悪犯罪が、日常化している。特に、未成年者による犯罪は激増・多発化中である。犯罪に対する根本的な対策も対応もが遅れている。社会的不安も拡大している。従って、今こそ、その根本原因にメスを入れ、家庭及び学校を含む社会的な環境を良くすると共に、安心して暮らせる社会を構築する必要がある。故に、犯罪を未然に防止することによる社会的な効果は計り知れないものがある。
【発明を実施するための最良の形態】
【００１６】
各種学校や事業所および地域社会や各種機関その他各種団体等のセミナーや、講演会等で実施するのが最良の形態であり、実施後の反響と効果は大きい。また、教育現場における最高の教材であり、現状の社会に無くてはならない発明である。
【産業上の利用可能性】
【００１７】
産業上の環境改善や安全対策に大いに利用できる。
【図面の簡単な説明】
【００１８】
【図１】大脳の三大機能を表す構成図(略図)である。
【図２】大脳皮質(左右の前頭葉)の善心率と悪心率を表す構成図である。
【図３】バランスの取れた大脳皮質と辺縁系ならびに脳幹を表す構成図である。
【図１】
2005099965.tif 000002
【図２】
2005099965.tif 000003
【図３】
2005099965.tif 000004